(57)【要約】【課題】余計な手間をかけることなく、グループ照合方式で照合を行うコントローラを含む全てのコントローラで、紛失した記憶媒体の使用を検知させる。紛失した記憶媒体が見つかった際の復旧処置時の運用が煩雑となることを避ける。【解決手段】操作者からの指示に応じ、データベースＤＢ１に記憶されている全ユーザのユーザ情報Ｕ１〜ＵＭ中、指定されたユーザ情報Ｕ１に紛失情報を設定する。紛失情報が設定されたユーザ情報Ｕ１を含むユーザ情報Ｕ（個別ユーザ情報展開方式ではＵ１、全ユーザ情報展開方式ではＵ１〜ＵＭ）をワーク領域Ｗに展開する。ワーク領域Ｗ中の紛失情報が設定されているユーザ情報Ｕ１の許可ルームの設定を全室許可に変更する。ワーク領域Ｗ中の許可ルームの設定が全室許可に変更された紛失情報が設定されているユーザ情報Ｕ１をコントローラ２−１〜２−３に転送する。【選択図】  図１７
2015017369.tif 000002
【特許請求の範囲】
【請求項１】
共通データ部と個別データ部とを含み許可ルームの設定情報が付加された全ユーザのユーザ情報を記憶する管理装置と、ユーザが所持している記憶媒体から読み取られる個人識別情報と前記管理装置から設定される照合情報とを照合して、自己が管理している室へのユーザの入退室を許可するか否かを判断する第１〜第Ｎ（Ｎ≧２）のコントローラとを備え、前記第１〜第Ｎのコントローラにおける照合方式として、前記ユーザ情報の共通データ部のデータのみを前記照合情報として使用するグループ照合方式と、前記ユーザ情報の共通データ部のデータと個別データ部のデータとを前記照合情報として使用する個人照合方式とを混在して使用する入退室管理システムにおいて、
前記管理装置は、
操作者からの指示に応じ、前記記憶されている全ユーザのユーザ情報中、指定されたユーザ情報に紛失情報を設定する紛失情報設定手段と、
前記紛失情報が設定されたユーザ情報を含むユーザ情報をワーク領域に展開するユーザ情報展開手段と、
前記ワーク領域中の紛失情報が設定されているユーザ情報に付加されている許可ルームの設定を全室許可に変更する許可ルーム設定変更手段と、
前記ワーク領域中の許可ルームの設定が全室許可に変更された紛失情報が設定されているユーザ情報を前記第１〜第Ｎのコントローラに転送するユーザ情報転送手段とを備え、
前記第１〜第Ｎのコントローラは、
前記管理装置から転送されてきた紛失情報が設定されているユーザ情報を受信し、受信したユーザ情報に対応する個人照合方式の照合情報が存在する場合には、その個人照合方式の照合情報を転送されてきた紛失情報が設定されているユーザ情報に書き替え、受信したユーザ情報に対応する個人照合方式の照合情報が存在しない場合には、転送されてきた紛失情報が設定されているユーザ情報を個人照合方式の照合情報として記憶する転送データ受信処理手段
を備えることを特徴とする入退室管理システム。
【請求項２】
請求項１に記載された入退室管理システムにおいて、
前記ユーザ情報展開手段は、
前記紛失情報が設定されたユーザ情報を含む全ユーザのユーザ情報を全ユーザ情報として前記ワーク領域に展開し、
前記許可ルーム設定変更手段は、
前記ワーク領域中の全ユーザ情報のうち前記紛失情報が設定されているユーザ情報に付加されている許可ルームの設定を全室許可に変更し、
前記ユーザ情報転送手段は、
前記ワーク領域中の許可ルームの設定が全室許可に変更された紛失情報が設定されているユーザ情報を含む全ユーザ情報を前記コントローラ毎にそのコントローラが管理している室が許可ルームとして設定されているユーザ情報の集合に分け、この分けられたユーザ情報の集合を対応する前記第１〜第Ｎのコントローラに転送し、
前記第１〜第Ｎのコントローラの転送データ受信処理手段は、
前記管理装置から転送されてきた前記ユーザ情報の集合を受信し、受信したユーザ情報の集合に対応する個人照合方式の照合情報を転送されてきたユーザ情報の集合に書き替える
ことを特徴とする入退室管理システム。
【請求項３】
請求項２に記載された入退室管理システムにおいて、
前記管理装置は、
操作者からの指示に応じ、前記記憶されている全ユーザのユーザ情報中、指定された前記紛失情報が設定されているユーザ情報を紛失前の登録状態に戻す登録状態復旧手段を備え、
前記ユーザ情報展開手段は、
前記登録状態に戻されたユーザ情報を含む全ユーザのユーザ情報を全ユーザ情報として前記ワーク領域に展開し、
前記ユーザ情報転送手段は、
前記ワーク領域中の前記登録状態に戻されたユーザ情報を含む全ユーザ情報を前記コントローラ毎にそのコントローラが管理している室が許可ルームとして設定されているユーザ情報の集合に分け、この分けられたユーザ情報の集合を対応する前記第１〜第Ｎのコントローラに転送し、
前記第１〜第Ｎのコントローラの転送データ受信処理手段は、
前記管理装置から転送されてきた前記ユーザ情報の集合を受信し、受信したユーザ情報の集合に対応する個人照合方式の照合情報を転送されてきたユーザ情報の集合に書き替える
ことを特徴とする入退室管理システム。
【請求項４】
請求項１に記載された入退室管理システムにおいて、
前記ユーザ情報展開手段は、
前記紛失情報が設定されたユーザ情報のみを個別ユーザ情報として前記ワーク領域に展開し、
前記許可ルーム設定変更手段は、
前記ワーク領域中の紛失情報が設定されている個別ユーザ情報に付加されている許可ルームの設定を全室許可に変更し、
前記ユーザ情報転送手段は、
前記ワーク領域中の許可ルームの設定が全室許可に変更された紛失情報が設定されている個別ユーザ情報を前記第１〜第Ｎのコントローラに転送し、
前記第１〜第Ｎのコントローラの転送データ受信処理手段は、
前記管理装置から転送されてきた紛失情報が設定されている個別ユーザ情報を受信し、受信した個別ユーザ情報に対応する個人照合方式の照合情報が存在する場合には、その個人照合方式の照合情報を転送されてきた紛失情報が設定されている個別ユーザ情報に書き替え、受信した個別ユーザ情報に対応する個人照合方式の照合情報が存在しない場合には、転送されてきた紛失情報が設定されている個別ユーザ情報を個人照合方式の照合情報として記憶する
ことを特徴とする入退室管理システム。
【請求項５】
請求項４に記載された入退室管理システムにおいて、
前記管理装置は、
操作者からの指示に応じ、前記記憶されている全ユーザのユーザ情報中、指定された前記紛失情報が設定されているユーザ情報を紛失前の登録状態に戻す登録状態復旧手段と、
前記登録状態に戻されたユーザ情報を復旧された個別ユーザ情報としてワーク領域に展開する復旧個別ユーザ情報展開手段と、
前記ワーク領域中の復旧された個別ユーザ情報に付加されている許可ルームの設定に応じ、設定されている許可ルームを管理している前記コントローラには前記ワーク領域中の復旧された個別ユーザ情報を許可ルームの設定を変更せずに転送し、設定されている許可ルームを管理していない前記コントローラには前記ワーク領域中の復旧された個別ユーザ情報を許可ルームの設定を無くして転送する復旧ユーザ情報転送手段とを備え、
前記第１〜第Ｎのコントローラは、
前記復旧された個別ユーザ情報が許可ルームが設定された状態で転送されてきた場合、前記個人照合方式の照合情報として記憶されている前記紛失情報が設定されている個別ユーザ情報を転送されてきた復旧された個別ユーザ情報に書き替え、前記復旧された個別ユーザ情報が許可ルームの設定が無い状態で転送されてきた場合、前記個人照合方式の照合情報として記憶されている前記紛失情報が設定されている個別ユーザ情報を削除する手段
を備えることを特徴とする入退室管理システム。
【請求項６】
共通データ部と個別データ部とを含み許可ルームの設定情報が付加された全ユーザのユーザ情報を記憶する管理装置と、ユーザが所持している記憶媒体から読み取られる個人識別情報と前記管理装置から設定される照合情報とを照合して、自己が管理している室へのユーザの入退室を許可するか否かを判断する第１〜第Ｎ（Ｎ≧２）のコントローラとを備えた入退室管理システムに適用され、前記第１〜第Ｎのコントローラにおける照合方式として、前記ユーザ情報の共通データ部のデータのみを前記照合情報として使用するグループ照合方式と、前記ユーザ情報の共通データ部のデータと個別データ部のデータとを前記照合情報として使用する個人照合方式とを混在して使用する入退室管理方法において、
前記管理装置は、
操作者からの指示に応じ、前記記憶されている全ユーザのユーザ情報中、指定されたユーザ情報に紛失情報を設定する紛失情報設定ステップと、
前記紛失情報が設定されたユーザ情報を含むユーザ情報をワーク領域に展開するユーザ情報展開ステップと、
前記ワーク領域中の紛失情報が設定されているユーザ情報に付加されている許可ルームの設定を全室許可に変更する許可ルーム設定変更ステップと、
前記ワーク領域中の許可ルームの設定が全室許可に変更された紛失情報が設定されているユーザ情報を前記第１〜第Ｎのコントローラに転送するユーザ情報転送ステップとを実行し、
前記第１〜第Ｎのコントローラは、
前記管理装置から転送されてきた紛失情報が設定されているユーザ情報を受信し、受信したユーザ情報に対応する個人照合方式の照合情報が存在する場合には、その個人照合方式の照合情報を転送されてきた紛失情報が設定されているユーザ情報に書き替え、受信したユーザ情報に対応する個人照合方式の照合情報が存在しない場合には、転送されてきた紛失情報が設定されているユーザ情報を個人照合方式の照合情報として記憶する転送データ受信処理ステップを実行する
ことを特徴とする入退室管理方法。
【請求項７】
請求項６に記載された入退室管理方法において、
前記ユーザ情報展開ステップは、
前記紛失情報が設定されたユーザ情報を含む全ユーザのユーザ情報を全ユーザ情報として前記ワーク領域に展開し、
前記許可ルーム設定変更ステップは、
前記ワーク領域中の全ユーザ情報のうち前記紛失情報が設定されているユーザ情報に付加されている許可ルームの設定を全室許可に変更し、
前記ユーザ情報転送ステップは、
前記ワーク領域中の許可ルームの設定が全室許可に変更された紛失情報が設定されているユーザ情報を含む全ユーザ情報を前記コントローラ毎にそのコントローラが管理している室が許可ルームとして設定されているユーザ情報の集合に分け、この分けられたユーザ情報の集合を対応する前記第１〜第Ｎのコントローラに転送し、
前記第１〜第Ｎのコントローラの転送データ受信処理ステップは、
前記管理装置から転送されてきた前記ユーザ情報の集合を受信し、受信したユーザ情報の集合に対応する個人照合方式の照合情報を転送されてきたユーザ情報の集合に書き替える
ことを特徴とする入退室管理方法。
【請求項８】
請求項７に記載された入退室管理方法において、
前記管理装置は、
操作者からの指示に応じ、前記記憶されている全ユーザのユーザ情報中、指定された前記紛失情報が設定されているユーザ情報を紛失前の登録状態に戻す登録状態復旧ステップを実行し、
前記ユーザ情報展開ステップは、
前記登録状態に戻されたユーザ情報を含む全ユーザのユーザ情報を全ユーザ情報として前記ワーク領域に展開し、
前記ユーザ情報転送ステップは、
前記ワーク領域中の前記登録状態に戻されたユーザ情報を含む全ユーザ情報を前記コントローラ毎にそのコントローラが管理している室が許可ルームとして設定されているユーザ情報の集合に分け、この分けられたユーザ情報の集合を対応する前記第１〜第Ｎのコントローラに転送し、
前記第１〜第Ｎのコントローラにおける転送データ受信処理ステップは、
前記管理装置から転送されてきた前記ユーザ情報の集合を受信し、受信したユーザ情報の集合に対応する個人照合方式の照合情報を転送されてきたユーザ情報の集合に書き替える
ことを特徴とする入退室管理方法。
【請求項９】
請求項６に記載された入退室管理方法において、
前記ユーザ情報展開ステップは、
前記紛失情報が設定されたユーザ情報のみを個別ユーザ情報として前記ワーク領域に展開し、
前記許可ルーム設定変更ステップは、
前記ワーク領域中の紛失情報が設定されている個別ユーザ情報に付加されている許可ルームの設定を全室許可に変更し、
前記ユーザ情報転送ステップは、
前記ワーク領域中の許可ルームの設定が全室許可に変更された紛失情報が設定されている個別ユーザ情報を前記第１〜第Ｎのコントローラに転送し、
前記第１〜第Ｎのコントローラにおける転送データ受信処理ステップは、
前記管理装置から転送されてきた紛失情報が設定されている個別ユーザ情報を受信し、受信した個別ユーザ情報に対応する個人照合方式の照合情報が存在する場合には、その個人照合方式の照合情報を転送されてきた紛失情報が設定されている個別ユーザ情報に書き替え、受信した個別ユーザ情報に対応する個人照合方式の照合情報が存在しない場合には、転送されてきた紛失情報が設定されている個別ユーザ情報を個人照合方式の照合情報として記憶する
ことを特徴とする入退室管理方法。
【請求項１０】
請求項９に記載された入退室管理方法において、
前記管理装置は、
操作者からの指示に応じ、前記記憶されている全ユーザのユーザ情報中、指定された前記紛失情報が設定されているユーザ情報を紛失前の登録状態に戻す登録状態復旧ステップと、
前記登録状態に戻されたユーザ情報を復旧された個別ユーザ情報としてワーク領域に展開する復旧個別ユーザ情報展開ステップと、
前記ワーク領域中の復旧された個別ユーザ情報に付加されている許可ルームの設定に応じ、その設定されている許可ルームを管理している前記コントローラには前記ワーク領域中の復旧された個別ユーザ情報を許可ルームの設定を変更せずに転送し、その設定されている許可ルームを管理していない前記コントローラには前記ワーク領域中の復旧された個別ユーザ情報を許可ルームの設定を無くして転送する復旧ユーザ情報転送ステップとを実行し、
前記第１〜第Ｎのコントローラは、
前記復旧された個別ユーザ情報が許可ルームが設定された状態で転送されてきた場合、前記個人照合方式の照合情報として記憶されている前記紛失情報が設定されている個別ユーザ情報を転送されてきた復旧された個別ユーザ情報に書き替え、前記復旧された個別ユーザ情報が許可ルームの設定が無い状態で転送されてきた場合、前記個人照合方式の照合情報として記憶されている前記紛失情報が設定されている個別ユーザ情報を削除するステップを実行する
ことを特徴とする入退室管理方法。
【発明の詳細な説明】
【技術分野】
【０００１】
この発明は、複数のコントローラにおける照合方式として、グループ照合方式と個人照合方式とを混在して使用する入退室管理システムおよび入退室管理方法に関するものである。
【背景技術】
【０００２】
従来より、ビル等の施設に出入りするユーザの入退室を管理する入退室管理システムにおいては、個人識別情報を記録したＩＣカードをユーザに配布し、室の近傍に設置されているカードリーダでＩＣカードに記録されている個人識別情報を読み取り、入退室が許可されている個人識別情報であるか否かを照合し、許可されている個人識別情報である場合には電気錠を解錠し、扉を開くようにしている（例えば、特許文献１参照）。
【０００３】
このような入退室管理システムは、例えば図１８に示すように、管理装置１と、管理装置１に通信回線Ｌによって接続された複数のコントローラ２とから構成され、コントローラ２にはカードリーダ３と電気錠４とが接続されている（例えば、特許文献２参照）。
【０００４】
図１８に示した例では、コントローラ２をコントローラ２−１〜２−３の３つとし、コントローラ２−１が管理する室２０１を共用部Ｃとし、コントローラ２−２が管理する室２０２を専用部Ａとし、コントローラ２−３が管理する室２０３を専用部Ｂとしている。
【０００５】
管理装置１には、データベースＤＢ１（マスタデータ）として、施設に出入りする全ユーザのユーザ情報Ｕ（Ｕ１〜ＵＭ）が記憶されている。ユーザ情報Ｕは、共通データ部と個別データ部とを含み、共通データ部のデータはＧ１，Ｇ２というような共通コードとされ、個別データ部のデータは「０００１」，「０００２」というような個別番号とされている。この共通データ部のデータと個別データ部のデータとによってユーザが特定される。
【０００６】
また、ユーザ情報Ｕには、許可ルームの設定情報（許可ルーム情報）が付加されている。「許可ルーム情報」には入退室が許可された室が許可ルームとして設定されている。また、ユーザ情報Ｕは、データベースＤＢ１へ登録されると、その登録状態の設定が「登録」とされる。この例において、ユーザ情報Ｕ１〜ＵＭは全て登録されている状態にあり、登録状態の設定が「登録」とされている。登録状態の設定が「登録」とされているユーザ情報Ｕに対しては、そのユーザ情報Ｕの共通データ部のデータと個別データ部のデータとが個人識別情報として書き込まれたＩＣカード１００が発行されている。
【０００７】
この入退室管管理システムでは、コントローラ２−１〜２−３における照合方式として、ユーザ情報Ｕの共通データ部のデータのみを照合情報として使用するグループ照合方式と、ユーザ情報Ｕの共通データ部のデータと個別データ部のデータとを照合情報として使用する個人照合方式とが使用され、このグループ照合方式と個人照合方式とはコントローラ２−１〜２−３において混在して使用される。
【０００８】
コントローラ２には、照合情報の登録上限があり、この登録上限を超えて照合情報を記憶させることはできない。この例において、共用部ＣではデータベースＤＢ１に登録されている全ユーザを照合の対象とし、個人照合方式とした場合、照合情報がコントローラ２−１の登録上限を超えてしまう。これに対し、専用部Ａ，専用部Ｂでは、特定のユーザを照合の対象とし、照合情報がコントローラ２−２，２−３の登録上限を超えてしまうことがない。そこで、この例では、コントローラ２−１においてグループ照合方式を採用し、コントローラ２−２，２−３において個人照合方式を採用している。
【０００９】
この場合、個人照合方式を採用するコントローラ２−２，２−３には、コントローラ２−２，２−３が管理している室２０２，２０３（専用部Ａ，専用部Ｂ）が許可ルームとして設定されている特定のユーザのユーザ情報Ｕの集合（共通データ部のデータと個別データ部のデータとを含むユーザ情報Ｕの集合）を照合情報として送る。これに対して、グループ照合方式を採用するコントローラ２−１には、ユーザ情報Ｕの共通データ部のデータのみを照合情報として送る。この例では、ユーザ情報Ｕの共通データ部のデータはＧ１，Ｇ２の２種類であるので、Ｇ１，Ｇ２のみを照合情報として送る。
【００１０】
これにより、コントローラ２−１は、グループ照合方式で照合を行い、その個別識別情報中にデータＧ１，Ｇ２が含まれているＩＣカード１００に対して、すなわちＩＣカード１００を所持している全てのユーザに対して、共用部Ｃへの入退室を許可する。これに対して、コントローラ２−２，２−３は、個別照合方式で照合を行い、管理装置１から照合情報として設定されるユーザ情報Ｕの集合にそのユーザ情報が含まれている特定のユーザしか、専用部Ａ，Ｂへの入退室を許可しない。
【００１１】
このように、グループ照合方式を採用すると、ユーザ情報の共通データ部のデータのみを照合情報としてコントローラ２へ転送するだけでよく、全ユーザのユーザ情報を転送する必要がないので、コントローラ２の登録上限を超えたユーザの入退室の管理が可能となる。
【００１２】
なお、図１８においては、施設をビルとし、共用部Ｃとしてエントランスを、専用部Ａ，Ｂとしてテナントエリアを想定している。ビルなどの施設においては、金庫室，重要資料保管室，サーバ室など比較的高度なセキュリティ性が要求される室があり、これらのセキュリティ性が要求される室については個人照合方式の採用が望まれる。このため、ビル等の施設では、個人照合方式とグループ照合方式とを混在して使用する入退室管理システムが用いられるケースが多い。
【先行技術文献】
【特許文献】
【００１３】
【特許文献１】特開２００２−２１３１２５号公報
【特許文献２】特開２０１１−２２６１１４号公報
【発明の概要】
【発明が解決しようとする課題】
【００１４】
しかしながら、このような個人照合方式とグループ照合方式とを混在して使用する入退室管理システムでは、個人照合方式で照合される記憶媒体を紛失した場合、この記憶媒体を紛失設定しても、個人照合方式で照合を行うコントローラでは紛失した記憶媒体の使用を検知できるが、グループ照合方式で照合を行うコントローラでは紛失した記憶媒体の使用を検知することができず、不審者の出入りを許してしまう結果となるという問題があった。
【００１５】
この問題について、図１９を用いて説明する。今、個人識別情報として「Ｇ１０００１」が書き込まれているＩＣカード１００Ａを紛失したために、管理装置１において、データベースＤＢ１中のユーザ情報Ｕ１を管理画面に呼び出し、ユーザ情報Ｕ１の登録状態の設定を「登録」から「紛失」に変更したとする。
【００１６】
この場合、管理装置１は、コントローラ２−２に、ユーザ情報Ｕ１の登録状態の設定が「登録」から「紛失」に変更されたことを知らせ、コントローラ２−２における個人照合方式の照合情報中のユーザ情報Ｕ１の設定を変更する。これにより、ＩＣカード１００Ａがカードリーダ３−２にセットされると、コントローラ２−２がそのＩＣカード１００Ａを紛失中のカードであると検知する。
【００１７】
しかし、ＩＣカード１００Ａがカードリーダ３−１にセットされても、コントローラ２−１はそのＩＣカード１００Ａに書き込まれている個人識別情報をグループ照合方式で照合するので、このＩＣカード１００Ａが紛失中のカードであることを検知することができない。このため、ＩＣカード１００Ａを所持している人（不審者）の共用部Ｃへの入退室を許可してしまう結果となる。
【００１８】
なお、コントローラ２−３は、カードリーダ３−３にＩＣカード１００Ａがセットされた場合、そのＩＣカード１００Ａが紛失中のカードであることを検知することはできないが、このＩＣカード１００Ａを所持している人の専用部Ｂへの入退室は許可しない。
【００１９】
なお、この問題を回避するために、管理装置１において、データベースＤＢ１中のユーザ情報Ｕ１を管理画面に呼び出し、ユーザ情報Ｕ１の許可ルームの設定を全室許可に変更した上で、登録状態の設定を「登録」から「紛失」に変更することが考えられる（図２０参照）。
【００２０】
この場合、管理装置１は、許可ルームの設定が全室許可とされていることにより、登録状態の設定が「登録」から「紛失」に変更されたユーザ情報Ｕ１を、個人照合方式の照合情報としてコントローラ２−１〜２−３に送る。これにより、コントローラ２−２だけではなく、コントローラ２−１，２−３でも、紛失中のＩＣカード１００Ａの使用を検知することができるようになる。
【００２１】
しかしながら、この方法では、管理装置１において、データベースＤＢ１中の所望のユーザ情報Ｕを管理画面に呼び出し、登録状態の設定だけではなく、許可ルームの設定も変更しなければならない。これにより、急を要する紛失設定作業時に、登録状態の設定の変更に加え、許可ルームの設定も変更するという余計な手間がかかり、間違いも生じ易くなる。また、紛失したＩＣカード１００が見つかった際の復旧処置時に、対応するユーザ情報Ｕを管理画面に呼び出した時、予め全室許可とされたカードなのか、紛失情報の転送のために全室許可にしたカードなのかを判別し辛く、運用が煩雑になる。
【００２２】
本発明は、このような課題を解決するためになされたもので、その目的とするところは、余計な手間をかけることなく、グループ照合方式で照合を行うコントローラを含む全てのコントローラで、紛失した記憶媒体の使用を検知させるようにすることができ、かつ紛失した記憶媒体が見つかった際の復旧処置時の運用が煩雑となることを避けることが可能な入退室管理システムおよび入退室管理方法を提供することにある。
【課題を解決するための手段】
【００２３】
このような目的を達成するために本発明は、共通データ部と個別データ部とを含み許可ルームの設定情報が付加された全ユーザのユーザ情報を記憶する管理装置と、ユーザが所持している記憶媒体から読み取られる個人識別情報と管理装置から設定される照合情報とを照合して、自己が管理している室へのユーザの入退室を許可するか否かを判断する第１〜第Ｎ（Ｎ≧２）のコントローラとを備え、第１〜第Ｎのコントローラにおける照合方式として、ユーザ情報の共通データ部のデータのみを照合情報として使用するグループ照合方式と、ユーザ情報の共通データ部のデータと個別データ部のデータとを照合情報として使用する個人照合方式とを混在して使用する入退室管理システムにおいて、管理装置は、操作者からの指示に応じ、記憶されている全ユーザのユーザ情報中、指定されたユーザ情報に紛失情報を設定する紛失情報設定手段と、紛失情報が設定されたユーザ情報を含むユーザ情報をワーク領域に展開するユーザ情報展開手段と、ワーク領域中の紛失情報が設定されているユーザ情報に付加されている許可ルームの設定を全室許可に変更する許可ルーム設定変更手段と、ワーク領域中の許可ルームの設定が全室許可に変更された紛失情報が設定されているユーザ情報を第１〜第Ｎのコントローラに転送するユーザ情報転送手段とを備え、第１〜第Ｎのコントローラは、管理装置から転送されてきた紛失情報が設定されているユーザ情報を受信し、受信したユーザ情報に対応する個人照合方式の照合情報が存在する場合には、その個人照合方式の照合情報を転送されてきた紛失情報が設定されているユーザ情報に書き替え、受信したユーザ情報に対応する個人照合方式の照合情報が存在しない場合には、転送されてきた紛失情報が設定されているユーザ情報を個人照合方式の照合情報として記憶する転送データ受信処理手段を備えることを特徴とする。
【００２４】
〔全ユーザ情報展開方式〕
本発明の一例として、例えば、全ユーザ情報展開方式とすることが考えられる。全ユーザ情報展開方式では、管理装置において、紛失情報が設定されたユーザ情報を含む全ユーザのユーザ情報を全ユーザ情報としてワーク領域に展開し、ワーク領域中の全ユーザ情報のうち紛失情報が設定されているユーザ情報に付加されている許可ルームの設定を全室許可に変更する。そして、ワーク領域中の許可ルームの設定が全室許可に変更された紛失情報が設定されているユーザ情報を含む全ユーザ情報をコントローラ毎にそのコントローラが管理している室が許可ルームとして設定されているユーザ情報の集合に分け、この分けられたユーザ情報の集合を対応する第１〜第Ｎのコントローラに転送する。第１〜第Ｎのコントローラでは、管理装置から転送されてきたユーザ情報の集合を受信し、受信したユーザ情報の集合に対応する個人照合方式の照合情報を転送されてきたユーザ情報の集合に書き替える。
【００２５】
〔個別ユーザ情報展開方式〕
本発明の一例として、例えば、個別ユーザ情報展開方式とすることが考えられる。個別ユーザ情報展開方式では、管理装置において、紛失情報が設定されたユーザ情報のみを個別ユーザ情報としてワーク領域に展開し、ワーク領域中の紛失情報が設定されている個別ユーザ情報に付加されている許可ルームの設定を全室許可に変更する。そして、ワーク領域中の許可ルームの設定が全室許可に変更された紛失情報が設定されている個別ユーザ情報を第１〜第Ｎのコントローラに転送する。第１〜第Ｎのコントローラでは、管理装置から転送されてきた紛失情報が設定されている個別ユーザ情報を受信し、受信した個別ユーザ情報に対応する個人照合方式の照合情報が存在する場合には、その個人照合方式の照合情報を転送されてきた紛失情報が設定されている個別ユーザ情報に書き替え、受信した個別ユーザ情報に対応する個人照合方式の照合情報が存在しない場合には、転送されてきた紛失情報が設定されている個別ユーザ情報を個人照合方式の照合情報として記憶する。
【００２６】
〔紛失した記憶媒体が見つかった際の復旧：全ユーザ情報展開方式の場合〕
本発明において、全ユーザ情報展開方式を採用するものとした場合、紛失した記憶媒体が見つかった際の復旧は例えば次のようにして行う。管理装置において、操作者からの指示に応じ、記憶されている全ユーザのユーザ情報中、指定された紛失情報が設定されているユーザ情報を紛失前の登録状態に戻す。登録状態に戻されたユーザ情報を含む全ユーザのユーザ情報を全ユーザ情報としてワーク領域に展開し、ワーク領域中の登録状態に戻されたユーザ情報を含む全ユーザ情報をコントローラ毎にそのコントローラが管理している室が許可ルームとして設定されているユーザ情報の集合に分け、この分けられたユーザ情報の集合を対応する第１〜第Ｎのコントローラに転送する。第１〜第Ｎのコントローラでは、管理装置から転送されてきたユーザ情報の集合を受信し、受信したユーザ情報の集合に対応する個人照合方式の照合情報を転送されてきたユーザ情報の集合に書き替える。
【００２７】
〔紛失した記憶媒体が見つかった際の復旧：個別ユーザ情報展開方式の場合〕
本発明において、個別ユーザ情報展開方式を採用するものとした場合、紛失した記憶媒体が見つかった際の復旧は例えば次のようにして行う。管理装置において、操作者からの指示に応じ、記憶されている全ユーザのユーザ情報中、指定された紛失情報が設定されているユーザ情報を紛失前の登録状態に戻す。登録状態に戻されたユーザ情報を復旧された個別ユーザ情報としてワーク領域に展開し、ワーク領域中の復旧された個別ユーザ情報に付加されている許可ルームの設定に応じ、設定されている許可ルームを管理しているコントローラにはワーク領域中の復旧された個別ユーザ情報を許可ルームの設定を変更せずに転送し、設定されている許可ルームを管理していないコントローラにはワーク領域中の復旧された個別ユーザ情報を許可ルームの設定を無くして転送する。第１〜第Ｎのコントローラでは、復旧された個別ユーザ情報が許可ルームが設定された状態で転送されてきた場合、個人照合方式の照合情報として記憶されている紛失情報が設定されている個別ユーザ情報を転送されてきた復旧された個別ユーザ情報に書き替え、復旧された個別ユーザ情報が許可ルームの設定が無い状態で転送されてきた場合、個人照合方式の照合情報として記憶されている紛失情報が設定されている個別ユーザ情報を削除する。
【発明の効果】
【００２８】
本発明によれば、紛失情報が設定されたユーザ情報を含むユーザ情報をワーク領域に展開し、ワーク領域中の紛失情報が設定されているユーザ情報に付加されている許可ルームの設定を全室許可に変更し、ワーク領域中の許可ルームの設定が全室許可に変更された紛失情報が設定されているユーザ情報を第１〜第Ｎのコントローラに転送し、第１〜第Ｎのコントローラにおいて、転送されてきた紛失情報が設定されているユーザ情報を受信し、受信したユーザ情報に対応する個人照合方式の照合情報が存在する場合には、その照合情報を転送されてきた紛失情報が設定されているユーザ情報に書き替え、受信したユーザ情報に対応する個人照合方式の照合情報が存在しない場合には、転送されてきたユーザ情報を個人照合方式の照合情報として記憶するようにしたので、操作者は、管理装置に記憶されている全ユーザのユーザ情報中、所望のユーザ情報に紛失情報を設定するだけでよく、許可ルームの設定の変更はワーク領域に展開されたユーザ情報に対して自動的に行われるので、余計な手間をかけることなく、グループ照合方式のコントローラを含む全てのコントローラで、紛失した記憶媒体の使用を検知させるようにすることができるようになる。
【００２９】
また、本発明によれば、許可ルームの設定の変更がワーク領域に展開されたユーザ情報に対して行われ、管理装置に記憶されているユーザ情報の許可ルームの設定は変更されないので、紛失した記憶媒体が見つかった際の復旧処置時に、対応するユーザ情報を管理画面に呼び出した時、予め全室許可とされた記憶媒体なのか、紛失情報の転送のために全室許可した記憶媒体なのかを判別する必要がなく、紛失した記憶媒体が見つかった際の復旧処置時の運用が煩雑となることを避けることが可能となる。
【図面の簡単な説明】
【００３０】
【図１】本発明に係る入退室管理システムの一実施の形態を示す図である。
【図２】この入退室管理システムにおいて管理装置が行う全ユーザ情報展開方式を使用してのデータの転送処理を示すフローチャートである。
【図３】紛失情報が設定されたユーザ情報がワーク領域に展開されてコントローラへの転送データとされるまでの過程（全ユーザ情報展開方式を使用してのデータの転送過程）を示す図である。
【図４】全ユーザ情報展開方式を使用して送られてきた転送データのコントローラにおける受信処理を示すフローチャートである。
【図５】複数のユーザ情報に対して一括して登録から紛失への設定変更操作を行う例を説明する図である。
【図６】複数のユーザ情報に対して一括して登録から紛失への設定変更操作を行う場合の図３に対応する図である。
【図７】紛失したＩＣカードが見つかった際の全ユーザ情報展開方式を使用しての復旧処置（複数のＩＣカードに対して紛失設定がなされていた場合）を説明する図である。
【図８】紛失したＩＣカードが見つかった際の全ユーザ情報展開方式を使用しての復旧処置（１つのＩＣカードに対して紛失設定がなされていた場合）を行う場合の図３に対応する図である。
【図９】紛失したＩＣカードが見つかった際の全ユーザ情報展開方式を使用しての復旧処置（１つのＩＣカードに対して紛失設定がなされていた場合）を説明する図である。
【図１０】紛失したＩＣカードが見つかった際の全ユーザ情報展開方式を使用しての復旧処置（１つのＩＣカードに対して紛失設定がなされていた場合）を行う場合の図３に対応する図である。
【図１１】この入退室管理システムにおいて管理装置が行う個別ユーザ情報展開方式を使用してのデータの転送処理を示すフローチャートである。
【図１２】個別ユーザ情報展開方式を使用してユーザ情報に対して登録から紛失への設定変更操作を行う例を示す図である。
【図１３】紛失情報が設定されたユーザ情報がワーク領域に展開されてコントローラへの転送データとされるまでの過程（個別ユーザ情報展開方式を使用してのデータの転送過程）を示す図である。
【図１４】個別ユーザ情報展開方式を使用して送られてきた転送データのコントローラにおける受信処理を示すフローチャートである。
【図１５】紛失したＩＣカードが見つかった際の個別ユーザ情報展開方式を使用しての復旧処置を説明する図である。
【図１６】紛失したＩＣカードが見つかった際の個別ユーザ情報展開方式を使用しての復旧処置を行う場合の図１３に対応する図である。
【図１７】この入退室管理システムにおける管理装置およびコントローラの要部の機能ブロック図である。
【図１８】従来の入退室管理システムの一例を示す図である。
【図１９】従来の入退室管理システムにおけるデータベース中のユーザ情報の登録状態の設定を紛失に書き替えた場合の問題を説明する図である。
【図２０】従来の入退室管理システムにおけるデータベース中のユーザ情報の許可ルームの設定を全室許可に書き替えたうえ登録状態の設定を紛失に書き替えた場合の問題を説明する図である。
【発明を実施するための形態】
【００３１】
以下、本発明を図面に基づいて詳細に説明する。図１は本発明に係る入退室管理システムの一実施の形態を示す図である。同図において、図１８と同一符号は図１８を参照して説明した構成要素と同一或いは同等の構成要素を示し、その説明は省略する。
【００３２】
なお、この実施の形態において、図１８に示した入退室管理システムと異なる点は、主として管理装置１の機能にあるので、この実施の形態で使用する管理装置１を１Ａとし、図１８に示した従来の入退室管理システムにおける管理装置１を１Ｂとし、両者を区別する。
【００３３】
また、この実施の形態において、管理装置１Ａ、コントローラ２（２−１〜２−３）は、プロセッサや記憶装置からなるハードウェアと、これらのハードウェアと協働して各種機能を実現させるプログラムとによって実現される。具体的には、コンピュータにプログラムがインストールされ、このインストールされたプログラムに従うＣＰＵの処理動作として実現される。
【００３４】
以下、全ユーザ情報展開方式と、個別ユーザ情報展開方式とに分けて、管理装置１Ａが有する本実施の形態特有の機能について説明する。
【００３５】
〔全ユーザ情報展開方式〕
図２に、この入退室管理システムにおいて管理装置１Ａが行う全ユーザ情報展開方式を使用してのデータの転送処理のフローチャートを示す。
【００３６】
この全ユーザ情報展開方式は、データベースＤＢ１（マスタデータ）に記憶されている全てのユーザ情報Ｕ１〜ＵＭを転送処理対象とする。また、後述する個別ユーザ情報展開方式を使用してコントローラ２にデータを転送できなかった場合（コントローラ２がデータを受け取れなかった場合）の抑えとして実行されたり、保守調整作業に伴い、コントローラ２のメモリ情報がクリアされた場合などに実行される。また、複数のユーザ情報Ｕに対して一括して設定変更操作があったような場合、個別ユーザ情報展開方式を使用せずに、全ユーザ情報展開方式を使用してコントローラ２にデータを転送する。
【００３７】
ここでは、最も単純な例として、全てのユーザ情報Ｕ１〜ＵＭの登録状態の設定が「登録」とされている状態から、ユーザ情報Ｕ１に対してのみ、登録から紛失への設定変更操作があった場合について説明する。
【００３８】
今、個人識別情報として「Ｇ１０００１」が書き込まれているＩＣカード１００Ａを紛失したカードとする。この場合、操作者は、管理装置１Ａを操作し、ＩＣカード１００Ａに書き込まれている個人識別情報に対応するデータベースＤＢ１中のユーザ情報Ｕ１を管理画面に呼び出し、ユーザ情報Ｕ１の登録状態の設定を「登録」から「紛失」に変更する。そして、全ユーザ情報展開方式を使用してのデータの転送を指示する。
【００３９】
管理装置１Ａは、全ユーザ情報展開方式によるデータの転送の指示を受けると（図２：ステップＳ１０１のＹＥＳ）、Ｎ＝１，Ｍ＝１とし（ステップＳ１０２）、データベースＤＢ１中の全ユーザのユーザ情報Ｕ１〜ＵＭをワーク領域Ｗに展開（コピー）する（ステップＳ１０３、図３（ａ）参照）。
【００４０】
そして、Ｎ＝１番目のコントローラ２−１を転送先とし（ステップＳ１０４）、ワーク領域Ｗ中のＭ＝１人目のユーザ情報Ｕ１に紛失情報が設定されているか否かをチェックする（ステップＳ１０５）。この場合、ユーザ情報Ｕ１の登録状態の設定が「紛失」に変更されているので、ユーザ情報Ｕ１に紛失情報が設定されていると判断し（ステップＳ１０５のＹＥＳ）、ワーク領域Ｗ中のユーザ情報Ｕ１の許可ルームの設定を全室許可とする（ステップＳ１０６、図３（ｂ）参照）。
【００４１】
そして、ワーク領域Ｗ中のユーザ情報Ｕ１に設定されている許可ルームが転送先のコントローラ２−１が管理している室２０１（共用部Ｃ）であるか否かをチェックする（ステップＳ１０７）。この場合、ワーク領域Ｗ中のユーザ情報Ｕ１の許可ルームの設定は全室許可とされており、転送先のコントローラ２−１が管理している室２０１（共用部Ｃ）が含まれていることから（ステップＳ１０７のＹＥＳ）、ワーク領域Ｗ中のユーザ情報Ｕ１をコントローラ２−１への転送データに追加する（ステップＳ１０８）。
【００４２】
そして、Ｍ＝Ｍ＋１＝２とし（ステップＳ１１０）、ワーク領域Ｗ中のユーザ情報Ｕ１〜ＵＭからＭ＝２人目のユーザ情報Ｕ２について、紛失情報が設定されているか否かをチェックする（ステップＳ１０５）。この場合、ユーザ情報Ｕ２には紛失情報が設定されていないので（ステップＳ１０５のＮＯ）、ステップＳ１０６は実行せずに、ステップＳ１０７へ進む。
【００４３】
ステップＳ１０７では、ワーク領域Ｗ中のユーザ情報Ｕ２に設定されている許可ルームが転送先のコントローラ２−１が管理している室２０１（共用部Ｃ）であるか否かをチェックする。この場合、ワーク領域Ｗ中のユーザ情報Ｕ２に設定されている許可ルームは専用部Ａであるので、ステップＳ１０８へは進まずに、すなわちワーク領域Ｗ中のユーザ情報Ｕ２のコントローラ２−１への転送データへの追加は行わずに、Ｍ＝Ｍ＋１＝３として（ステップＳ１１０）、ステップＳ１０５へ戻る。
【００４４】
この例において、ワーク領域Ｗ中のユーザ情報Ｕ３〜ＵＭは、紛失情報が設定されておらず、また許可ルームに共用部Ｃも含まれていないので、ユーザ情報Ｕ２と同様の処理が繰り返される。これにより、最後のユーザ情報ＵＭまで処理が進むと、コントローラ２−１への転送データ（ユーザ情報の集合）は、ワーク領域Ｗ中のユーザ情報Ｕ１のみとなる（図３（ｃ）参照）。管理装置１Ａは、最後のユーザ情報ＵＭの処理を終了すると（ステップＳ１０９のＹＥＳ）、コントローラ２−１にこの転送データ（図３（ｃ））を送信する（ステップＳ１１１）。
【００４５】
そして、管理装置１Ａは、Ｎ＝Ｎ＋１＝２とし（ステップＳ１１３）、Ｎ＝２番目のコントローラ２−２を転送先とし（ステップＳ１０４）、ステップＳ１０５以下の処理動作を繰り返す。
【００４６】
この場合も、上述と同様、管理装置１Ａは、ユーザ情報Ｕ１に紛失情報が設定されていると判断し（ステップＳ１０５のＹＥＳ）、ワーク領域Ｗ中のユーザ情報Ｕ１の許可ルームの設定を全室許可とする（ステップＳ１０６）。そして、ワーク領域Ｗ中のユーザ情報Ｕ１に設定されている許可ルームが転送先のコントローラ２−２が管理している室２０２（専用部Ａ）であるか否かをチェックし（ステップＳ１０７）、ユーザ情報Ｕ１の許可ルームの設定（全室許可）に専用部Ａが含まれていることから（ステップＳ１０７のＹＥＳ）、ワーク領域Ｗ中のユーザ情報Ｕ１をコントローラ２−２への転送データに追加する（ステップＳ１０８）。
【００４７】
そして、Ｍ＝Ｍ＋１＝２とし（ステップＳ１１０）、ワーク領域Ｗ中のユーザ情報Ｕ１〜ＵＭからＭ＝２人目のユーザ情報Ｕ２に紛失情報が設定されているか否かをチェックする（ステップＳ１０５）。この場合、紛失情報が設定されていないので、ステップＳ１０６は実行せずに、ステップＳ１０７へ進む。
【００４８】
ステップＳ１０７では、ワーク領域Ｗ中のユーザ情報Ｕ２に設定されている許可ルームが転送先のコントローラ２−２が管理している室２０２（専用部Ａ）であるか否かをチェックする。この場合、ワーク領域Ｗ中のユーザ情報Ｕ２に設定されている許可ルームは専用部Ａであるので（ステップＳ１０７のＹＥＳ）、ワーク領域Ｗ中のユーザ情報Ｕ２をコントローラ２−２への転送データに追加する（ステップＳ１０８）。そして、Ｍ＝Ｍ＋１＝３として（ステップＳ１１０）、ステップＳ１０５へ戻る。
【００４９】
この例において、ワーク領域Ｗ中のユーザ情報Ｕ３〜Ｕ１００は、紛失情報が設定されておらず、また許可ルームの設定も専用部Ａであるので、ユーザ情報Ｕ２と同様の処理が繰り返される。これに対し、ワーク領域Ｗ中のユーザ情報Ｕ１０１〜ＵＭは許可ルームの設定が専用部Ｂであるので、ステップＳ１０７でのＮＯに応じ、ステップＳ１０８を実行せずに、ステップＳ１１０を経てステップＳ１０５へ戻るという処理が繰り返される。
【００５０】
これにより、最後のユーザ情報ＵＭまで処理が進むと、コントローラ２−２への転送データ（ユーザ情報の集合）は、ワーク領域中のユーザ情報Ｕ１〜Ｕ１００となる（図３（ｄ）参照）。管理装置１Ａは、最後のユーザ情報ＵＭの処理を終了すると（ステップＳ１０９のＹＥＳ）、コントローラ２−２へこの転送データ（図３（ｄ））を送信する（ステップＳ１１１）。
【００５１】
そして、管理装置１Ａは、Ｎ＝Ｎ＋１＝３とし（ステップＳ１１３）、Ｎ＝３番目のコントローラ２−３を転送先とし（ステップＳ１０４）、ステップＳ１０５以下の処理動作を繰り返す。
【００５２】
この場合も、上述と同様、管理装置１Ａは、ユーザ情報Ｕ１に紛失情報が設定されていると判断し（ステップＳ１０５のＹＥＳ）、ワーク領域Ｗ中のユーザ情報Ｕ１の許可ルームの設定を全室許可とする（ステップＳ１０６）。そして、ワーク領域Ｗ中のユーザ情報Ｕ１に設定されている許可ルームが転送先のコントローラ２−３が管理している室２０３（専用部Ｂ）であるか否かをチェックし（ステップＳ１０７）、ユーザ情報Ｕ１の許可ルームの設定（全室許可）に専用部Ｂが含まれていることから（ステップＳ１０７のＹＥＳ）、ワーク領域Ｗ中のユーザ情報Ｕ１をコントローラ２−３への転送データに追加する（ステップＳ１０８）。
【００５３】
そして、Ｍ＝Ｍ＋１＝２とし（ステップＳ１１０）、ワーク領域Ｗ中のユーザ情報Ｕ１〜ＵＭからＭ＝２人目のユーザ情報Ｕ２に紛失情報が設定されているか否かをチェックする（ステップＳ１０５）。この場合、紛失情報が設定されていないので、ステップＳ１０６は実行せずに、ステップＳ１０７へ進む。
【００５４】
ステップＳ１０７では、ワーク領域Ｗ中のユーザ情報Ｕ２に設定されている許可ルームが転送先のコントローラ２−３が管理している室２０３（専用部Ｂ）であるか否かをチェックする。この場合、ワーク領域Ｗ中のユーザ情報Ｕ２に設定されている許可ルームは専用部Ａであるので（ステップＳ１０７のＮＯ）、ステップＳ１０８へは進まずに、すなわちワーク領域Ｗ中のユーザ情報Ｕ２をコントローラ２−３への転送データに追加せずに、Ｍ＝Ｍ＋１＝３として（ステップＳ１１０）、ステップＳ１０５へ戻る。
【００５５】
この例において、ワーク領域Ｗ中のユーザ情報Ｕ３〜Ｕ１００は、紛失情報が設定されておらず、また許可ルームの設定も専用部Ａであるので、ユーザ情報Ｕ２と同様の処理が繰り返される。このため、ワーク領域Ｗ中のユーザ情報Ｕ２〜Ｕ１００は、コントローラ２−３への転送データには追加されない。これに対し、ワーク領域Ｗ中のユーザ情報Ｕ１０１〜ＵＭは許可ルームの設定が専用部Ｂであるので、ステップＳ１０７でのＹＥＳに応じ、ステップＳ１０８へ進み、コントローラ２−３への転送データに追加される。
【００５６】
これにより、最後のユーザ情報ＵＭまで処理が進むと、コントローラ２−３への転送データ（ユーザ情報の集合）は、ワーク領域Ｗ中のユーザ情報Ｕ１とＵ１０１〜ＵＭとを合わせたものとなる（図３（ｅ）参照）。管理装置１Ａは、最後のユーザ情報ＵＭの処理を終了すると（ステップＳ１０９のＹＥＳ）、コントローラ２−３へこの転送データ（図３（ｅ））を送信する（ステップＳ１１１）。
【００５７】
そして、管理装置１Ａは、Ｎが最後であることを確認して（ステップＳ１１２のＹＥＳ）、全ユーザ情報展開方式を使用してのデータの転送処理を終了する。
【００５８】
〔転送データの受信〕
コントローラ２−１は、管理装置１Ａからの転送データ（ユーザ情報の集合）（図３（ｃ））を受信すると（図４：ステップＳ２０１のＹＥＳ）、ワーク領域を初期化し（ステップＳ２０２）、受信した転送データ（ユーザ情報の集合）をワーク領域に保持し（ステップＳ２０３）、コントローラ２−１内の個人照合方式の照合情報をワーク領域に保持されている情報（転送されてきたユーザ情報の集合）に切り替える（ステップＳ２０４）。
【００５９】
この場合、コントローラ２−１には、グループ照合方式の照合情報しか記憶されておらず、個人照合方式の照合情報は存在しない。このため、ワーク領域に保持されている情報（転送されてきたユーザ情報の集合）を個人照合方式の照合情報として記憶する。
【００６０】
コントローラ２−２は、管理装置１Ａからの転送データ（ユーザ情報の集合）（図３（ｄ））を受信すると（図４：ステップＳ２０１のＹＥＳ）、ワーク領域を初期化し（ステップＳ２０２）、受信した転送データ（ユーザ情報の集合）をワーク領域に保持し（ステップＳ２０３）、コントローラ２−２内の個人照合方式の照合情報をワーク領域に保持されている情報（転送されてきたユーザ情報の集合）に切り替える（ステップＳ２０４）。
【００６１】
この場合、コントローラ２−２には、個人照合方式の照合情報が記憶されている。このため、コントローラ２−２は、記憶されている個人照合方式の照合情報を破棄し、ワーク領域に保持されている情報（転送されてきたユーザ情報の集合）に切り替える。すなわち、記憶されている個人照合方式の照合情報をワーク領域に保持されている情報（転送されてきたユーザ情報の集合）に書き替える。
【００６２】
コントローラ２−３は、管理装置１Ａからの転送データ（ユーザ情報の集合）（図３（ｅ））を受信すると（図４：ステップＳ２０１のＹＥＳ）、ワーク領域を初期化し（ステップＳ２０２）、受信した転送データ（ユーザ情報の集合）をワーク領域に保持し（ステップＳ２０３）、コントローラ２−３内の個人照合方式の照合情報をワーク領域に保持されている情報（転送されてきたユーザ情報の集合）に切り替える（ステップＳ２０４）。
【００６３】
この場合、コントローラ２−３には、個人照合方式の照合情報が記憶されている。このため、コントローラ２−３は、記憶されている個人照合方式の照合情報を破棄し、ワーク領域に保持されている情報（転送されてきたユーザ情報の集合）に切り替える。すなわち、記憶されている個人照合方式の照合情報をワーク領域に保持されている情報（転送されてきたユーザ情報の集合）に書き替える。
【００６４】
これにより、ＩＣカード１００Ａがカードリーダ３−１にセットされると、コントローラ２−１がそのＩＣカード１００Ａを紛失中のカードであると検知し、ＩＣカード１００Ａがカードリーダ３−２にセットされると、コントローラ２−２がそのＩＣカード１００Ａを紛失中のカードであると検知し、ＩＣカード１００Ａがカードリーダ３−３にセットされると、コントローラ２−３がそのＩＣカード１００Ａを紛失中のカードであると検知する。
【００６５】
このようにして、本実施の形態では、全ユーザ情報展開方式を使用することにより、グループ照合方式で照合を行うコントローラ２−１を含む全てのコントローラ２（２−１〜２−３）で、紛失したＩＣカード１００Ａの使用を検知することができるようになる。
【００６６】
図５に複数のユーザ情報に対して一括して登録から紛失への設定変更操作を行う例を示す。この例では、個人識別情報として「Ｇ１０００１」が書き込まれているＩＣカード１００Ａと、個人識別情報として「Ｇ２０００１」が書き込まれているＩＣカード１００Ｂとを紛失したカードとしている。この場合、操作者は、管理装置１Ａを操作し、データベースＤＢ１中のユーザ情報Ｕ１およびＵ１０１の登録状態の設定を「登録」から「紛失」に変更し、全ユーザ情報展開方式を使用してのデータの転送を指示する。
【００６７】
この場合も、図２に示したフローチャートの処理に従って、データベースＤＢ１中の全ユーザのユーザ情報Ｕ１〜ＵＭがワーク領域Ｗに展開（コピー）される（図６（ａ）参照）。そして、ワーク領域Ｗ中の紛失情報が設定されているユーザ情報Ｕ１，Ｕ１０１の許可ルームの設定が全室許可に変更され（図６（ｂ）参照）、このワーク領域Ｗ中の全ユーザ情報Ｕ１〜ＵＭが、コントローラ２−１への転送データ（ユーザ情報の集合）（図６（ｃ）参照）と、コントローラ２−２への転送データ（ユーザ情報の集合）（図６（ｄ）参照）と、コントローラ２−３への転送データ（ユーザ情報の集合）（図６（ｅ）参照）とに分けられる。
【００６８】
この場合、コントローラ２−１への転送データ（ユーザ情報の集合）は、許可ルームの設定が全室許可に変更されたユーザ情報Ｕ１，Ｕ１０１とされ、コントローラ２−２への転送データ（ユーザ情報の集合）は、許可ルームの設定が全室許可に変更されたユーザ情報Ｕ１，Ｕ１０１と許可ルームの設定が専用部Ａとされているユーザ情報Ｕ２〜Ｕ１００とされ、コントローラ２−３への転送データ（ユーザ情報の集合）は、許可ルームの設定が全室許可に変更されたユーザ情報Ｕ１，Ｕ１０１と許可ルームの設定が専用部Ｂとされているユーザ情報Ｕ１０２〜ＵＭとされる。
【００６９】
〔紛失したＩＣカードが見つかった際の復旧処置〕
例えば、図５において、紛失中のＩＣカード１００Ｂが見つかったとする。この場合、操作者は、データベースＤＢ１中のユーザ情報Ｕ１０１の登録状態の設定を「紛失」から「登録」に変更し（図７参照）、全ユーザ情報展開方式を使用してのデータの転送を指示する。
【００７０】
この場合も、図２に示したフローチャートの処理に従って、データベースＤＢ１中の全ユーザのユーザ情報Ｕ１〜ＵＭがワーク領域Ｗに展開（コピー）される（図８（ａ）参照）。そして、ワーク領域Ｗ中の紛失情報が設定されているユーザ情報Ｕ１の許可ルームの設定が全室許可に変更される（図８（ｂ）参照）。
【００７１】
そして、このワーク領域Ｗ中の全ユーザ情報Ｕ１〜ＵＭが、コントローラ２−１への転送データ（ユーザ情報の集合）（図８（ｃ）参照）と、コントローラ２−２への転送データ（ユーザ情報の集合）（図８（ｄ）参照）と、コントローラ２−３への転送データ（ユーザ情報の集合）（図８（ｅ）参照）とに分けられる。
【００７２】
この場合、コントローラ２−１への転送データ（ユーザ情報の集合）は、許可ルームの設定が全室許可に変更されたユーザ情報Ｕ１とされ、コントローラ２−２への転送データ（ユーザ情報の集合）は、許可ルームの設定が全室許可に変更されたユーザ情報Ｕ１と許可ルームの設定が専用部Ａとされているユーザ情報Ｕ２〜Ｕ１００とされ、コントローラ２−３への転送データ（ユーザ情報の集合）は、許可ルームの設定が全室許可に変更されたユーザ情報Ｕ１と許可ルームの設定が専用部Ｂとされているユーザ情報Ｕ１０１〜ＵＭとされる。
【００７３】
この全ユーザ情報展開方式による復旧処置において、登録状態の設定が「紛失」から「登録」に変更されたユーザ情報Ｕ１０１に対しては、ワーク領域Ｗ中においてその許可ルームの設定がデータベースＤＢ１中の設定である専用部Ｂのままとされ、その許可ルームの設定内容が管理画面に表示される。このため、操作者は、データベースＤＢ１中のユーザ情報Ｕ１０１に対して復旧処置を行う場合、許可ルームの設定を気にかける必要はなく、登録状態の設定を「紛失」から「登録」に変更するだけでよい。
【００７４】
〔転送データの受信〕
コントローラ２−１は、管理装置１Ａからの転送データ（ユーザ情報の集合）（図８（ｃ））を受信すると、コントローラ２−１内に記憶されている個人照合方式の照合情報を管理装置１Ａからの転送データ（ユーザ情報の集合）に書き替える。すなわち、それまで個人照合照合方式の照合情報として設定されていた紛失中のＩＣカード１００Ａと１００Ｂを検知するためのユーザ情報を、紛失中のＩＣカード１００Ａのみを検知するためのユーザ情報に書き替える。これにより、コントローラ２−１から、ＩＣカード１００Ｂを検知するための照合情報が削除されるものとなる。
【００７５】
コントローラ２−２は、管理装置１Ａからの転送データ（ユーザ情報の集合）（（図８（ｄ））を受信すると、コントローラ２−２内に記憶されている個人照合方式の照合情報を管理装置１Ａからの転送データ（ユーザ情報の集合）に書き替える。すなわち、紛失中のＩＣカード１００Ａと１００Ｂを検知するためのユーザ情報を含む個人照合方式の照合情報を、紛失中のＩＣカード１００Ａのみを検知するためのユーザ情報を含む個人照合方式の照合情報に書き替える。これにより、コントローラ２−２から、ＩＣカード１００Ｂを検知するための照合情報が削除されるものとなる。
【００７６】
コントローラ２−３は、管理装置１Ａからの転送データ（ユーザ情報の集合）（（図８（ｅ））を受信すると、コントローラ２−３内に記憶されている個人照合方式の照合情報を管理装置１Ａからの転送データ（ユーザ情報の集合）に書き替える。すなわち、紛失中のＩＣカード１００Ａと１００Ｂを検知するためのユーザ情報を含む個人照合方式の照合情報を、紛失中のＩＣカード１００Ａのみを検知するためのユーザ情報を含む個人照合方式の照合情報に書き替える。これにより、コントローラ２−３から、ＩＣカード１００Ｂを検知するための照合情報が削除されるものとなる。
【００７７】
なお、図１に示した例では、紛失中のＩＣカード１００Ａが見つかった場合は、操作者がデータベースＤＢ１中のユーザ情報Ｕ１の登録状態の設定を「紛失」から「登録」に変更することにより、データベースＤＢ１中のユーザ情報Ｕ１〜ＵＭの登録状態の設定が全て「登録」となる（図９参照）。このため、図１０に示すように、コントローラ２−１への転送データ（ユーザ情報の集合）はなくなる（図１０（ｃ）参照）。
【００７８】
この場合、管理装置１Ａからは、その旨の情報を転送データとしてコントローラ２−１へ送るようにし、コントローラ２−１内に記憶されている個人照合方式の照合情報を削除するようにする。例えば、空のユーザ情報の集合を転送データとして送るようにし、コントローラ２−１内に記憶されている個人照合方式の照合情報を空のユーザ情報の集合に書き替える。本発明において、管理装置１Ａからコントローラ２に送られるユーザ情報の集合には、転送データがない旨の情報もその定義に含まれるものとする。
【００７９】
〔個別ユーザ情報展開方式〕
図１１に、この入退室管理システムにおいて管理装置１Ａが行う個別ユーザ情報展開方式を使用してのデータの転送処理のフローチャートを示す。
【００８０】
全ユーザ情報展開方式では、データベースＤＢ１に記憶されている全てのユーザ情報を転送処理の対象とするため、処理に時間がかってしまう。これに対し、個別ユーザ情報展開方式では、データベースＤＢ１に記憶されている１つのユーザ情報のみを転送処理の対象とし、処理時間の短縮を図る。個別ユーザ情報展開方式と全ユーザ情報展開方式とは目的に合わせて使い分けする。
【００８１】
今、個人識別情報として「Ｇ１０００１」が書き込まれているＩＣカード１００Ａを紛失したカードとする。この場合、操作者は、管理装置１Ａを操作し、ＩＣカード１００Ａに書き込まれている個人識別情報に対応するデータベースＤＢ１中のユーザ情報Ｕ１を管理画面に呼び出し、ユーザ情報Ｕ１の登録状態の設定を「登録」から「紛失」に変更する（図１２参照）。
【００８２】
すると、管理装置１Ａは、データベースＤＢ１中のユーザ情報Ｕ１の登録状態の設定に変更があったことを確認し（図１１：ステップＳ３０１のＹＥＳ）、Ｎ＝１とし（ステップＳ３０２）、データベースＤＢ１中の登録状態の設定が変更されたユーザ情報Ｕ１（１件）を個別ユーザ情報としてワーク領域Ｗに展開（コピー）する（ステップＳ３０３、図１３（ａ）参照）。
【００８３】
そして、Ｎ＝１番目のコントローラ２−１を転送先とし（ステップＳ３０４）、ワーク領域Ｗ中のユーザ情報Ｕ１に紛失情報が設定されているか否かをチェックする（ステップＳ３０５）。この場合、ユーザ情報Ｕ１の登録状態の設定が「紛失」に変更されているので、ユーザ情報Ｕ１に紛失情報が設定されていると判断し（ステップＳ３０５のＹＥＳ）、ワーク領域Ｗ中のユーザ情報Ｕ１の許可ルームの設定を全室許可とする（ステップＳ３０６、図１３（ｂ）参照）。
【００８４】
そして、ワーク領域Ｗ中のユーザ情報Ｕ１に設定されている許可ルームが転送先のコントローラ２−１が管理している室２０１（共用部Ｃ）であるか否かをチェックする（ステップＳ３０７）。この場合、ワーク領域Ｗ中のユーザ情報Ｕ１の許可ルームの設定は全室許可とされており、転送先のコントローラ２−１が管理している室２０１（共用部Ｃ）が含まれていることから（ステップＳ３０７のＹＥＳ）、ワーク領域Ｗ中のユーザ情報Ｕ１（紛失情報が設定されているユーザ情報Ｕ１）をコントローラ２−１への転送データ（図１３（ｃ）参照）とし（ステップＳ３０８）、この転送データを転送先のコントローラ２−１へ送信する（ステップＳ３１１）。
【００８５】
そして、Ｎ＝Ｎ＋１＝２とし（ステップＳ３１３）、Ｎ＝２番目のコントローラ２−２を転送先とし（ステップＳ３０４）、ステップＳ３０５以下の処理を繰り返す。これにより、ワーク領域Ｗ中に展開され、許可ルームの設定が全室許可に変更されたユーザ情報Ｕ１（紛失情報が設定されているユーザ情報Ｕ１）が転送データとして、Ｎ＝２番目のコントローラ２−２、Ｎ＝３番目のコントローラ２−３へ送信されるものとなる。
【００８６】
そして、管理装置１Ａは、Ｎが最後であることを確認して（ステップＳ３１２のＹＥＳ）、個別ユーザ情報展開方式によるデータの転送処理を終了する。
【００８７】
〔転送データの受信〕
コントローラ２−１は、管理装置１Ａからの転送データ（ユーザ情報Ｕ１）（図１３（ｃ））を受信すると（図１４：ステップＳ４０１）、ワーク領域を初期化し（ステップＳ４０２）、受信した転送データ（ユーザ情報Ｕ１）をワーク領域に保持する（ステップＳ４０３）。そして、そのワーク領域に保持した転送データ（ユーザ情報Ｕ１）に許可ルームの設定があることを確認して（ステップＳ４０４のＹＥＳ）、コントローラ２−１内に記憶されている個人照合方式の照合情報の中の対応する照合情報を変更する（ステップＳ４０５）。
【００８８】
この場合、コントローラ２−１には、グループ照合方式の照合情報しか記憶されておらず、個人照合方式の照合情報は存在しない。このため、ワーク領域に保持されている情報、すなわち転送されてきたユーザ情報Ｕ１（紛失情報が設定されているユーザ情報Ｕ１）を、個人照合方式の照合情報として記憶する。
【００８９】
コントローラ２−２は、管理装置１Ａからの転送データ（ユーザ情報Ｕ１）（図１３（ｃ））を受信すると（図１４：ステップＳ４０１）、ワーク領域を初期化し（ステップＳ４０２）、受信した転送データ（ユーザ情報Ｕ１）をワーク領域に保持する（ステップＳ４０３）。そして、そのワーク領域に保持した情報（ユーザ情報Ｕ１）に許可ルームの設定があることを確認して（ステップＳ４０４のＹＥＳ）、コントローラ２−２内に記憶されている個人照合方式の照合情報の中の対応する照合情報を変更する（ステップＳ４０５）。
【００９０】
この場合、コントローラ２−２には、個人照合方式の照合情報が記憶されており、この個人照合方式の照合情報の中に、ワーク領域に保持されている情報（ユーザ情報Ｕ１）に対応する照合情報として、ユーザ情報Ｕ１がある。このため、コントローラ２−２は、記憶している個人照合方式の照合情報の中の対応するユーザ情報Ｕ１を転送されてきたユーザ情報Ｕ１（紛失情報が設定されているユーザ情報Ｕ１）に書き替える。
【００９１】
コントローラ２−３は、管理装置１Ａからの転送データ（ユーザ情報Ｕ１）（図１３（ｃ））を受信すると（図１４：ステップＳ４０１）、ワーク領域を初期化し（ステップＳ４０２）、受信した転送データ（ユーザ情報Ｕ１）をワーク領域に保持する（ステップＳ４０３）。そして、そのワーク領域に保持した情報（ユーザ情報Ｕ１）に許可ルームの設定があることを確認して（ステップＳ４０４のＹＥＳ）、コントローラ２−３内に記憶されている個人照合方式の照合情報の中の対応する照合情報を変更する（ステップＳ４０５）。
【００９２】
この場合、コントローラ２−３には、個人照合方式の照合情報が記憶されているが、この個人照合方式の照合情報中、ワーク領域に保持されている情報（ユーザ情報Ｕ１）に対応する照合情報は存在しない。このため、コントローラ２−３は、ワーク領域に保持されている情報、すなわち転送されてきたユーザ情報Ｕ１（紛失情報が設定されたユーザ情報Ｕ１）を、個人照合方式の照合情報として記憶する。すなわち、記憶されている個人初号方式の照合情報に、転送されてきたユーザ情報Ｕ１（紛失情報が設定されたユーザ情報Ｕ１）を新たな個人照合方式の照合情報として追加する。
【００９３】
これにより、ＩＣカード１００Ａがカードリーダ３−１にセットされると、コントローラ２−１がそのＩＣカード１００Ａを紛失中のカードであると検知し、ＩＣカード１００Ａがカードリーダ３−２にセットされると、コントローラ２−２がそのＩＣカード１００Ａを紛失中のカードであると検知し、ＩＣカード１００Ａがカードリーダ３−３にセットされると、コントローラ２−３がそのＩＣカード１００Ａを紛失中のカードであると検知する。
【００９４】
このようにして、個別ユーザ情報展開方式を使用することにより、グループ照合方式で照合を行うコントローラ２−１を含む全てのコントローラ２（２−１〜２−３）で、紛失したＩＣカード１００Ａの使用を検知することができるようになる。
【００９５】
〔紛失したＩＣカードが見つかった際の復旧処置〕
例えば、図１２において、紛失中のＩＣカード１００Ａが見つかったとする。この場合、操作者は、データベースＤＢ１中のユーザ情報Ｕ１の登録状態の設定を「紛失」から「登録」に変更する（図１５参照）。
【００９６】
すると、管理装置１Ａは、データベースＤＢ１中のユーザ情報Ｕ１の登録状態の設定に変更があったことを確認し（図１１：ステップＳ３０１のＹＥＳ）、Ｎ＝１とし（ステップＳ３０２）、データベースＤＢ１中の登録状態の設定が変更されたユーザ情報Ｕ１（１件）を復旧された個別ユーザ情報としてワーク領域Ｗに展開（コピー）する（ステップＳ３０３、図１６（ａ）参照）。
【００９７】
そして、Ｎ＝１番目のコントローラ２−１を転送先とし（ステップＳ３０４）、ワーク領域Ｗ中のユーザ情報Ｕ１に紛失情報が設定されているか否かをチェックする（ステップＳ３０５）。この場合、ユーザ情報Ｕ１の登録状態の設定が「登録」に変更されているので、ユーザ情報Ｕ１に紛失情報が設定されていないと判断し（ステップＳ３０５のＮＯ）、ステップＳ３０６を実行せずに、すなわち許可ルームの設定を全室許可に変更することなく、専用部Ａのままとして、ステップＳ３０７へ進む。
【００９８】
そして、管理装置１Ａは、ワーク領域Ｗ中のユーザ情報Ｕ１に設定されている許可ルームが転送先のコントローラ２−１が管理している室２０１（共用部Ｃ）であるか否かをチェックする（ステップＳ３０７）。この場合、ワーク領域Ｗ中のユーザ情報Ｕ１の許可ルームの設定は専用部Ａとされており、転送先のコントローラ２−１が管理している室２０１（共用部Ｃ）ではないことから（ステップＳ３０７のＮＯ）、ワーク領域Ｗ中の復旧ユーザ情報Ｕ１の許可ルームの設定を無しとする（ステップＳ３０９、図１６（ｂ）参照）。
【００９９】
そして、そのワーク領域Ｗ中のユーザ情報Ｕ１（許可ルームの設定が無しとされた登録状態に戻されたユーザ情報Ｕ１）をコントローラ２−１への転送データ（図１６（ｃ）参照）とし（ステップＳ３１０）、この転送データを転送先のコントローラ２−１へ送信する（ステップＳ３１１）。
【０１００】
そして、Ｎ＝Ｎ＋１＝２とし（ステップＳ３１３）、Ｎ＝２番目のコントローラ２−２を転送先とし（ステップＳ３０４）、ワーク領域Ｗ中のユーザ情報Ｕ１に紛失情報が設定されているか否かをチェックする（ステップＳ３０５）。この場合、ユーザ情報Ｕ１の登録状態の設定が「登録」に変更されているので、ユーザ情報Ｕ１に紛失情報が設定されていないと判断し（ステップＳ３０５のＮＯ）、ステップＳ３０６を実行せずに、すなわち許可ルームの設定を全室許可に変更することなく、専用部Ａのままとして、ステップＳ３０７へ進む。
【０１０１】
そして、ワーク領域Ｗ中のユーザ情報Ｕ１に設定されている許可ルームが転送先のコントローラ２−２が管理している室２０２（専用部Ａ）であるか否かをチェックする（ステップＳ３０７）。この場合、ワーク領域Ｗ中のユーザ情報Ｕ１の許可ルームの設定は専用部Ａとされており、転送先のコントローラ２−２が管理している室２０２（専用部Ａ）であることから（ステップＳ３０７のＹＥＳ）、ワーク領域Ｗ中のユーザ情報Ｕ１（許可ルームの設定が専用部Ａとされた登録状態に戻されたユーザ情報Ｕ１）をコントローラ２−２への転送データ（図１６（ｄ）参照）とし（ステップＳ３０８）、この転送データを転送先のコントローラ２−２へ送信する（ステップＳ３１１）。
【０１０２】
そして、Ｎ＝Ｎ＋１＝３とし（ステップＳ３１３）、Ｎ＝３番目のコントローラ２−２を転送先とし（ステップＳ３０４）、ワーク領域Ｗ中のユーザ情報Ｕ１に紛失情報が設定されているか否かをチェックする（ステップＳ３０５）。この場合、ユーザ情報Ｕ１の登録状態の設定が「登録」に変更されているので、ユーザ情報Ｕ１に紛失情報が設定されていないと判断し（ステップＳ３０５のＮＯ）、ステップＳ３０６を実行せずに、すなわち許可ルームの設定を全室許可に変更することなく、専用部Ａのままとして、ステップＳ３０７へ進む。
【０１０３】
そして、ワーク領域Ｗ中のユーザ情報Ｕ１に設定されている許可ルームが転送先のコントローラ２−３が管理している室２０３（専用部Ｂ）であるか否かをチェックする（ステップＳ３０７）。この場合、ワーク領域Ｗ中のユーザ情報Ｕ１の許可ルームの設定は専用部Ａとされており、転送先のコントローラ２−３が管理している室２０３（専用部Ｂ）ではないことから（ステップＳ３０７のＮＯ）、ワーク領域Ｗ中のユーザ情報Ｕ１の許可ルームの設定を無しとする（ステップＳ３０９、図１６（ｂ）参照）。
【０１０４】
そして、そのワーク領域Ｗ中のユーザ情報Ｕ１（許可ルームの設定が無しとされた登録状態に戻されたユーザ情報Ｕ１）をコントローラ２−３への転送データ（図１６（ｃ）参照）とし（ステップＳ３１０）、この転送データを転送先のコントローラ２−３へ送信する（ステップＳ３１１）。
【０１０５】
そして、管理装置１Ａは、Ｎが最後であることを確認して（ステップＳ３１２のＹＥＳ）、個別ユーザ情報展開方式によるデータの転送処理を終了する。
【０１０６】
この個別ユーザ情報方式においても、登録状態の設定が「紛失」から「登録」に変更されたユーザ情報Ｕ１に対しては、ワーク領域Ｗ中における許可ルームの設定がデータベースＤＢ１中の設定である専用部Ａのままとされ、その許可ルームの設定が管理画面に表示される。このため、操作者は、データベースＤＢ１中のユーザ情報Ｕ１に対して復旧処置を行う場合、許可ルームの設定を気にかける必要はなく、登録状態の設定を「紛失」から「登録」に変更するだけでよい。
【０１０７】
〔転送データの受信〕
コントローラ２−１は、管理装置１Ａからの転送データ（ユーザ情報Ｕ１）（図１６（ｃ））を受信すると（図１４：ステップＳ４０１）、ワーク領域を初期化し（ステップＳ４０２）、受信した転送データ（ユーザ情報Ｕ１）をワーク領域に保持する（ステップＳ４０３）。そして、そのワーク領域に保持した転送データ（ユーザ情報Ｕ１）に許可ルームの設定が無いことを確認して（ステップＳ４０４のＮＯ）、コントローラ２−１内に記憶されている個人照合方式の照合情報の中の対応するユーザ情報（紛失情報が設定されているユーザ情報Ｕ１）を削除する（ステップＳ４０６）。
【０１０８】
コントローラ２−２は、管理装置１Ａからの転送データ（ユーザ情報Ｕ１）（図１６（ｄ））を受信すると（図１４：ステップＳ４０１）、ワーク領域を初期化し（ステップＳ４０２）、受信した転送データ（ユーザ情報Ｕ１）をワーク領域に保持する（ステップＳ４０３）。そして、そのワーク領域に保持した転送データ（ユーザ情報Ｕ１）に許可ルームの設定があることを確認して（ステップＳ４０４のＹＥＳ）、コントローラ２−２内に記憶されている個人照合方式の照合情報の中の対応するユーザ情報（紛失情報が設定されているユーザ情報Ｕ１）をワーク領域に保持されている転送されてきたユーザ情報Ｕ１（登録状態に戻されたユーザ情報Ｕ１）に変更する（ステップＳ４０５）。
【０１０９】
コントローラ２−３は、管理装置１Ａからの転送データ（ユーザ情報Ｕ１）（図１６（ｃ））を受信すると（図１４：ステップＳ４０１）、ワーク領域を初期化し（ステップＳ４０２）、受信した転送データ（ユーザ情報Ｕ１）をワーク領域に保持する（ステップＳ４０３）。そして、そのワーク領域に保持した転送データ（ユーザ情報Ｕ１）に許可ルームの設定が無いことを確認して（ステップＳ４０４のＮＯ）、コントローラ２−３内に記憶されている個人照合方式の照合情報の中の対応するユーザ情報（紛失情報が設定されているユーザ情報Ｕ１）を削除する（ステップＳ４０６）。
【０１１０】
以上の説明から分かるように、本実施の形態によれば、全ユーザ情報展開方式を使用する場合も、個別ユーザ情報展開方式を使用する場合も、操作者は、管理装置１Ａに記憶されている全ユーザのユーザ情報Ｕ１〜ＵＭ中、所望のユーザ情報Ｕに紛失情報を設定するだけでよく、許可ルームの設定の変更はワーク領域Ｗに展開されたユーザ情報Ｕに対して自動的に行われるので、余計な手間をかけることなく、グループ照合方式で照合を行う」コントローラ２−１を含む全てのコントローラ２−１〜２−３で、紛失したＩＣカード１００の使用を検知させるようにすることができるようになる。
【０１１１】
また、本実施の形態によれば、全ユーザ情報展開方式を使用する場合も、個別ユーザ情報展開方式を使用する場合も、許可ルームの設定の変更がワーク領域Ｗに展開されたユーザ情報Ｕに対して行われ、管理装置１ＡのデータベースＤＢ１に記憶されているユーザ情報Ｕの許可ルームの設定は変更されないので、紛失したＩＣカード１００が見つかった際の復旧処置時に、対応するユーザ情報Ｕを管理画面に呼び出した時、予め全室許可とされたＩＣカード１００なのか、紛失情報の転送のために全室許可したＩＣカード１００なのかを判別する必要がなく、紛失したＩＣカード１００が見つかった際の復旧処置時の運用が煩雑となることを避けることが可能となる。
【０１１２】
なお、上述した実施の形態では、説明を簡単とするために、コントローラ２をコントローラ２−１〜２−３の３つとしたが、コントローラ２の数は３つに限られるものでないことは言うまでもない。
【０１１３】
また、上述した実施の形態では、説明を簡単とするために、コントローラ２−１が管理する室２０１を共用部Ｃ、コントローラ２−２が管理する室２０２を専用部Ａ、コントローラ２−３が管理する室２０３を専用部Ｂとしたが、例えばコントローラ２−１が管理する室に共用部と合わせて専用部が含まれていたり、コントローラ２−２や２−３が管理する室に専用部と合わせて共用部（例えば、共用会議室、スポーツジムなど）が含まれていたりしてもよい。この場合、コントローラ２が管理する室について、共用部についてはグループ照合方式で照合が行われ、専用部については個別照合方式で照合が行われる。すなわち、コントローラ２においても、グループ照合方式での照合と個別照合方式で照合とが混在して使用される。
【０１１４】
図１７にこの入退室管理システムにおける管理装置１Ａおよびコントローラ２−１〜２−３の要部の機能ブロック図を示す。管理装置１Ａは、操作者からの指示に応じ、データベースＤＢ１に記憶されている全ユーザのユーザ情報Ｕ１〜ＵＭ中、指定されたユーザ情報Ｕ１に紛失情報を設定する紛失情報設定部１−１と、紛失情報が設定されたユーザ情報Ｕ１を含むユーザ情報Ｕ（個別ユーザ情報展開方式ではＵ１、全ユーザ情報展開方式ではＵ１〜ＵＭ）をワーク領域Ｗに展開するユーザ情報展開部１−２と、ワーク領域Ｗ中の紛失情報が設定されているユーザ情報Ｕ１に付加されている許可ルームの設定を全室許可に変更する許可ルーム設定変更部１−３と、ワーク領域Ｗ中の許可ルームの設定が全室許可に変更された紛失情報が設定されているユーザ情報Ｕ１をコントローラ２−１〜２−３に転送するユーザ情報転送部１−４とを備えている。
【０１１５】
コントローラ２（２−１〜２−３）は、管理装置１Ａから転送されてきたユーザ情報Ｕ１（紛失情報が設定されているユーザ情報Ｕ１）を受信し、受信したユーザ情報Ｕ１に対応する個人照合方式の照合情報が存在する場合には、その個人照合方式の照合情報を転送されてきた紛失情報が設定されているユーザ情報Ｕ１に書き替え、受信したユーザ情報Ｕ１に対応する個人照合方式の照合情報が存在しない場合には、転送されてきたユーザ情報Ｕ１を個人照合方式の照合情報として記憶する転送データ受信処理部２１を備えている。
【０１１６】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【０１１７】
１（１Ａ，１Ｂ）…管理装置、２（２−１〜２−３）…コントローラ、３（３−１〜３−３）…カードリーダ、４（４−１〜４−３）…電気錠、Ｌ…通信回線、ＤＢ１…データベース、Ｗ…ワーク領域、Ｕ（Ｕ１〜ＵＭ）…ユーザ情報、１−１…紛失情報設定部、１−２…ユーザ情報展開部、１−３…許可ルーム設定変更部、１−４…ユーザ情報転送部、２１…転送データ受信処理部、１００（１００Ａ，１００Ｂ）…ＩＣカード、２０１…室（共用部Ｃ）、２０２…室（専用部Ａ）、２０３…室（専用部Ｂ）。
【図１】
2015017369.tif 000003
【図２】
2015017369.tif 000004
【図３】
2015017369.tif 000005
【図４】
2015017369.tif 000006
【図５】
2015017369.tif 000007
【図６】
2015017369.tif 000008
【図７】
2015017369.tif 000009
【図８】
2015017369.tif 000010
【図９】
2015017369.tif 000011
【図１０】
2015017369.tif 000012
【図１１】
2015017369.tif 000013
【図１２】
2015017369.tif 000014
【図１３】
2015017369.tif 000015
【図１４】
2015017369.tif 000016
【図１５】
2015017369.tif 000017
【図１６】
2015017369.tif 000018
【図１７】
2015017369.tif 000019
【図１８】
2015017369.tif 000020
【図１９】
2015017369.tif 000021
【図２０】
2015017369.tif 000022